(57)【要約】電波を使用することによりシロアリの活動を積極的に統制する新規な方法を提供する。また、特定的な電波の、シロアリを誘引する性質に基づいて、天然または人工の構造をシロアリの侵略から保護する方法を提供する。
2004537993.tif 000002
【特許請求の範囲】
【請求項１】
シロアリの害を被りやすいシロアリが分解し得る構造を含む領域を、実質的にシロアリのいない領域にするための、電波送信システムであって、前記送信システムは、
少なくとも１つの送信装置に動作的に接続される電波送信機を含み、前記装置は、前記送信機によって生成されるシロアリを誘引する周波数および強度の電波を送信し、前記装置は、前記シロアリの害を被りやすい構造以外の第１の場所にシロアリを誘引するように前記シロアリの害を被りやすい構造に対して配置され、前記装置は、前記第１の場所の少なくとも一部分を含む有効領域を有し、前記第１の場所はさらに、少なくとも１つのシロアリ誘引物質を含む、システム。
【請求項２】
前記電波の周波数は約１〜１００メガヘルツである、請求項１に記載の電波送信システム。
【請求項３】
前記電波の周波数は約１〜３０メガヘルツである、請求項１に記載の電波送信システム。
【請求項４】
前記電波送信機は約１〜１００キロワットの強度で送信する、請求項２に記載の電波送信システム。
【請求項５】
前記電波送信機は、約１〜１０キロワットの強度で送信する、請求項３に記載の電波送信システム。
【請求項６】
前記誘引物質は、前記有効領域内に、少なくとも１つのシロアリが分解し得る成分を含む、請求項１に記載の電波送信システム。
【請求項７】
前記周波数は約１〜３０メガヘルツであり、前記強度は約１〜１００キロワットである、請求項１に記載の電波送信システム。
【請求項８】
前記アンテナは、シロアリの誘引物質として機能するシロアリが分解し得る材料または構造の上にまたはそれに隣接して設けられる、請求項１に記載の電波送信システム。
【請求項９】
シロアリの活動を制御する方法であって、
送信領域内に電波送信機を位置付けるステップを含み、前記領域はシロアリの居住に適し、さらに、
前記送信機から電波送信を行なうステップを含み、前記シロアリは前記送信機の方に誘引される、方法。
【請求項１０】
前記領域は、その中でシロアリの活動が望まれる領域である、請求項９に記載の方法。
【請求項１１】
シロアリが分解し得る材料を前記第１の領域内に備えるステップをさらに含む、請求項１０に記載の方法。
【請求項１２】
前記材料は、天然の木製物質、人工の木製物質、シロアリが分解し得る物質、シロアリの餌となる材料、および、木製部品を含む構造からなる群から選択される、請求項１１に記載の方法。
【請求項１３】
前記電波は、約１メガヘルツから約１００メガヘルツの周波数で送信される、請求項９に記載の方法。
【請求項１４】
前記電波は、約１メガヘルツから約３０メガヘルツの周波数で送信される、請求項９に記載の方法。
【請求項１５】
前記電波は、１〜１００キロワットの強度で送信される、請求項１３に記載の方法。
【請求項１６】
前記電波は、１〜３０キロワットの強度で送信される、請求項１３に記載の方法。
【請求項１７】
前記材料は、前記送信機から半径約１００フィート内にある、請求項１０に記載の方法。
【請求項１８】
選択された領域をシロアリの活動から保護する方法であって、
送信領域内に電波送信機を位置付けるステップを含み、前記領域はシロアリの居住に適し、かつ、シロアリの活動の害を被りやすい前記選択された領域に隣接しており、さらに、
前記送信機から電波送信を行なうステップを含み、前記シロアリは、前記送信機の方に誘引され、前記電波は、シロアリを前記選択された領域から前記送信領域の方に誘引することにより、前記選択された領域をシロアリの活動から保護する、方法。
【請求項１９】
前記選択された領域は、前記送信機から少なくとも約１００フィートの場所に位置する、請求項１８に記載の方法。
【請求項２０】
シロアリが分解し得る材料を前記第１の領域内に備えるステップをさらに含む、請求項１８に記載の方法。
【請求項２１】
前記材料は、天然の木製物質、人工の木製物質、シロアリが分解し得る物質、シロアリの餌となる材料、および、木製部品を含む構造からなる群から選択される、請求項２０に記載の方法。
【請求項２２】
前記電波は、約１メガヘルツから約１００メガヘルツの周波数で送信される、請求項１８に記載の方法。
【請求項２３】
前記電波は、約１メガヘルツから約３０メガヘルツの周波数で送信される、請求項１８に記載の方法。
【請求項２４】
前記電波は、１〜１００キロワットの強度で送信される、請求項２２に記載の方法。
【請求項２５】
前記電波は、１〜３０キロワットの強度で送信される、請求項２３に記載の方法。
【請求項２６】
前記材料は、前記送信機から半径約１００フィート内にある、請求項１９に記載の方法。
【発明の詳細な説明】
【技術分野】
【０００１】
この出願は、２００１年７月１２日に提出された米国仮出願連続番号第６０／３０４，４２４号の優先権を主張する。その仮出願の全文がここに引用により援用される。
【０００２】
この発明は、米国農務省森林局によって与えられた１９−９４−１１１および１９−９４−１１２により政府の補助で行なわれたものであり、政府もこの発明の何らかの権利を有し得る。
【０００３】
発明の分野
この発明は、シロアリ制御技術の分野に関し、より具体的には、電波を使用してシロアリの活動を制御する新規な方法に関する。より特定的には、この発明は、所定の周波数範囲内の電波を使用することによりシロアリを所望の場所に誘引する方法を提供する。
【背景技術】
【０００４】
家でのシロアリの発生を放置しておくことは、世界中で建物の壊滅的な被害に繋がる。そのため、シロアリの大群を制御または破壊するためのさまざまな処置方法が開発されている。殺虫剤は環境に悪影響を及ぼすおそれがあるので、環境にやさしい代替物を開発することが最近の研究の主目的となっている。
【０００５】
多数の先行技術は、シロアリを制御する（撃退するおよび／またはそれに否定的に影響を及ぼす）のに、電磁場を使用することに主眼をおいている。Liuに発行された米国特許第５，４７３，８３６号は、電磁場を発生して物理的な振動を与えることにより、昆虫を「隠れた場所」から除去する方法を開示している。Mahに発行された米国特許第５，９３０，９４６号は、害虫が不利に反応する電磁場を生成する方法を開示している。Pedersonに発行された米国特許第５，４４２，８７６号は、シロアリのいる領域を電磁エネルギによって生物の致死温度に加熱することにより、シロアリを制御する方法を開示している。Bergerioux他に発行された米国特許第４，８７０，７７９号は、装置によって低周波数のランダムに変化する磁場を生成することにより、それが地球磁場と相互作用して、その装置の周辺領域における地上レベルおよび地中レベルに存在するげっ歯類（rodents）および同様の害虫を排除する方法を開示している。
【０００６】
電気エネルギの使用もまた、シロアリを排除する（撃退するおよび／またはそれに否定的に影響を及ぼす）のに用いられてきた。Lawrenceに発行された米国特許第５，２１０，７１９号は、アプリケータガンに接続された掃引周波数の高電圧発生器を使用して、害虫に蝕まれた誘電体、たとえばシロアリに蝕まれた木材の中に電気エネルギを供給する装置および方法を開示している。Lawrenceに発行された米国特許第４，３６６，６４４号は、シロアリの潜む管（shelter tubes）、地下通路や巣、およびそのような場所にいるシロアリの体に広帯域無線周波数または多重周波数の高電圧電気エネルギを印加することを含む方法を開示している。Lawrenceの’６４４号は、その方法により、シロアリを電気ショックにより直接的に、または、シロアリの消化作用を妨害することにより間接的に、殺すことを教示している。Lawrenceに発行された米国特許第４，７８２，６２３号は、「ほぼ無限の（quasi-unlimited）」パワー出力が可能な位相固定式高電圧高周波数パルス発生器およびアプリケータガンを使用して、害虫に蝕まれた誘電体、たとえばシロアリに蝕まれた木材の中に電気エネルギを供給する、装置および方法を開示している。Lawrenceに発行された米国特許第４，２２３，４６８号は、シロアリの生息地に広帯域高電圧の電気エネルギを印加することによってシロアリを殺すことを含む方法を開示している。
【０００７】
マイクロ波エネルギを印加することもまた、シロアリを制御する（撃退するおよび／またはそれに否定的に影響を及ぼす）のに用いられてきた。Martin他に発行された米国特許第５，５７５，１０６号は、低電圧の「マイクロ波ホーン（microwave horns）」を使用してシロアリの大群を殺す方法を開示している。Stokes他に発行された米国特許第５，８９６，６９６号は、「小さい昆虫」の神経システムに悪影響を及ぼす目的で、特定的な波長のエネルギを生成しかつ放射する装置および方法を開示している。
【発明の開示】
【発明が解決しようとする課題】
【０００８】
シロアリを制御するのに環境にやさしい方法を見出そうとする最近の試みにおいて、従来の殺虫剤の使用は避けられてきたが、それらの方法ではシロアリの害を被りやすい構造をシロアリの侵襲から十分に保護することができない。従来の化学的な方法もより現代的な同様の方法も、シロアリの発生およびその後の構造の被害を防ぐことのできる方法を提供するのではなく、既に蝕まれた領域においてシロアリを殺すことによってシロアリの侵襲の問題に対処しようとするものである。この発明の発明者は、選択された領域に電波を付与することによりシロアリをその領域に誘引することができ、それにより、他の隣接領域をシロアリから保護することのできる、新規な方法を発見した。
【０００９】
発明の概要
この発明は、有毒の餌、光を使用した罠等にシロアリを誘引する電波を発することによってシロアリの活動を制御する、または、害を被りやすい構造から離れるようにシロアリの移動を統制する、方法に関する。
【００１０】
したがって、この発明の目的は、シロアリの活動が望まれる領域に、特定的な周波数の電波を送信するためのシステムを提供することである。
【００１１】
また、この発明の目的は、どの構造がシロアリを誘引しやすいかを判定する手段として、電波および／または特定周波数のエネルギレベルを監視する、検知装置を使用することである。
【００１２】
また、この発明の目的は、近接して配置されたシロアリの餌場、木片、木柱、または他のシロアリが分解し得る材料と関連付けられて、シロアリを誘引する特徴が強化された、電波送信システムを提供することである。
【００１３】
また、本発明の目的は、シロアリを送信領域に誘引して保護される領域から遠ざけるために、電波送信システムを隣接する電波送信領域内に設けることにより、保護される領域内の天然または人工のシロアリが分解し得る材料を保護する方法を提供することである。
【発明を実施するための最良の形態】
【００１４】
この発明は、以下に記載されかつ添付の図面に示されるように、シロアリを誘引する新規な方法であって、これを用いて、所定の周波数の電波を発することによりシロアリの活動を制御する方法が提供される。
【００１５】
図１Ａ〜１Ｄから最もよくわかるように、全体が１０で示されるこの発明の電波送信システムは、シロアリの活動が望まれる送信領域１４内に少なくとも１つの送信装置１２を位置付けるように構成することが可能である。電波送信機１６は、送信領域１４内に所定の波長の放送電波信号を提供するように設計される。図１Ａおよび１Ｃに示されるように、送信機１６は、２つ以上の送信装置１２に動作的に接続することが可能である。
【００１６】
図１Ａ〜図１Ｄに示されるように、この発明の電波送信システムは種々の構成を取ることが可能であり、複数の送信装置１２を、シロアリの被害からの保護が求められる天然または人工のシロアリが分解し得る構造１８に隣接してまたはその周囲に配置することが可能である。構造１８は、分解性の成分を有し得るので、シロアリの害を被りやすい。図１Ａ〜１Ｄに示される種々の送信システムの構成は非限定的な例示であって、そのパターンは、この発明の概念から離れることなく、多種多様であり得る。
【００１７】
送信領域１４の有効範囲内に、天然のまたは人工のシロアリが分解し得る材料を位置付けることにより、送信領域１４内に局在するシロアリのための誘引物質２０を備えることができる。誘引物質２０を含めることで、送信装置１２のシロアリを誘引する効果を高めることに加えて、送信領域１４内でシロアリが群がる焦点を提供することができる。シロアリを誘引物質２０へと引き付けて集めることにより、従来の方法によってその後シロアリを閉じ込め、集め、または排除することが容易になる。
【００１８】
この発明の送信機１６は、約１〜１００メガヘルツ、好ましくは１〜３０メガヘルツの周波数範囲を有する電波を送信することのできる、従来の電波送信機であればよい。電波送信の強度は、約１〜１００キロワット、好ましくは１〜１０キロワットであり得る。
【００１９】
１０年間にわたるテストを行なった結果、発明者は、シロアリがある周波数範囲および放送強度内の電波に引き付けられることを発見した。発明者は、イエシロアリ（Coptotermes formosanus）等のシロアリが、この発明で使用されるような電波に誘引されることを発見した。イエシロアリ属（Coptotermes）、ヤマトシロアリ属（Reticulitermes）および他のシロアリ属等の種は、この発明の誘引特性の影響を受けやすい。従来の善後策的なシロアリ制御方法とは異なって、この発明は、保護が求められる領域にシロアリが侵襲する前に、シロアリの地中、地上および分散性の飛行による移動を制御する方法を提供する。この発明の送信システム１０に誘引力を増強するものを含めることにより、さらに、送信領域内でのシロアリの局所化が可能になる。送信システム１０内で選択的に使用される誘引物質２０は、シロアリを誘引するどのような材料であってもよいが、たとえば、天然または人工の木片、餌場や、シロアリが分解し得る成分を有する物体を含み得る。
【００２０】
この発明は、シロアリを送信領域１４に誘引することにより、閉じ込めたり、集めたり、研究したり、排除したりすることに使用することが可能である。シロアリからの保護が求められる天然または人工の構造１８に対して送信システム１０を正しく位置付けることにより、シロアリは、保護されるべき材料または構造１８から離れるように誘引され、送信システム１０の方に向かうようにすることができる。家、フェンス、電信柱、その他、シロアリが発生するおそれのあるあらゆる材料または物体を保護するのに使用することのできる送信システムの構成の非限定的な例が、図１Ａ〜１Ｄに示される。
【００２１】
実施例
ハワイ州オアフ島のルアルアレイの海軍施設（Lualualei Naval facility, Oahu, Hawaii）におけるシロアリ（イエシロアリ）の自然個体群の野外観測は、１０年のテスト期間にわたって行なわれた。これらの野外観測によれば、この地中に棲むシロアリの移動は、約１〜１００メガヘルツ、好ましくは約１〜３０メガヘルツ、より好ましくは約２〜２０メガヘルツの周波数の電波によって影響を受けることがわかった。電波送信の強度は、約１〜１００キロワット、好ましくは約１〜１０キロワットであり得る。アンテナアレイが、加圧処理された米松（Douglas-fir）の大きな木柱によって支えられたワイヤで形成され、施設の大きな地域にわたって配置された。電波の周波数は約１〜１００キロワットの送信強度において約１〜１００メガヘルツの範囲内であった。
【００２２】
図２Ａは、テスト領域内のアンテナアレイの配置を示す概略図である。図２Ａ〜２Ｃにおいて、テスト領域の図は、破線によって東側と西側とに分割される。テスト領域を通じて、周囲に配されたアンテナアレイまたは送信装置１２に伝送線２２によって接続される多数の電波送信機１６の場所が示される。テスト領域の東側におけるアンテナアレイ１２は、１０年のテスト期間のうち最初の６年間（１９９２〜１９９８年）、活動状態に置かれて電波を送信した。破線の西側のアンテナアレイは、そのテスト期間に先立つ数年間、非活動状態に置かれた。１９９８年にシロアリの活動を調査した後、テスト領域の西側におけるアンテナアレイ１２が、１０年間のテスト期間のうち最後の４年間（１９９８〜２００２年）、活動状態とされて電波を送信した。図２Ｂおよび図２Ｃに影を付した領域として示される多数の領域において、１９９８年の調査およびその後の２００２年の調査時に、シロアリの活動２４が識別された。図示されるように、それらの領域において新しいシロアリの活動が識別されたのは、アンテナアレイ１２が活動状態で送信をしていた領域内であって、非活動状態のアンテナアレイを含む領域では新しいシロアリの活動は見付からなかった。
【００２３】
図３は、１つの電波送信機に関連付けられた複数のアンテナアレイと、それらのアンテナアレイ１２の領域内でシロアリの誘引物質２０として機能した木柱の場所を示す。誘引物質２０において識別されたシロアリの活動は、影を付した領域として示される。この図に示されるように、発明者は、遠隔地の電波送信機１６を活動状態のアンテナアレイ１２（アンテナアレイ番号４４２）に動作的に接続する伝送線２２に沿って配置された木柱２０において、ハイレベルのシロアリの侵襲を識別した。
【００２４】
前述のように、テストの最初の６年間は、テスト領域の東側におけるアンテナアレイが活動状態で送信を続けたのに対し、施設の西側におけるアンテナは非活動状態に保たれた。シロアリに対して最も誘引力を有する活動状態のアンテナアレイは、約１〜１０キロワットの強度において約２〜３０メガヘルツの周波数の電波を発するものであった。シロアリに対して最も誘引力を有するそれらのアンテナアレイについて、送信された平均周波数は、約４キロワットの平均強度において約９メガヘルツであった。それよりも低い周波数かつ低い強度で電波を発するアンテナアレイは、それらのアンテナアレイから１００フィートを超える有効誘引距離を有し得る。アンテナアレイのシロアリ誘引効果の有効距離は、電波の周波数および強度が増すにつれて変化すると考えられる。図４Ａ〜４Ｇおよび図５Ａ〜５Ｈは、非活動状態および活動状態のアンテナアレイ１２のシロアリ誘引効果を示す。個々のアンテナアレイの周囲には、送信領域１４内で誘引物質２０として機能する木柱が配された。それらの誘引物質の柱２０は、この発明のアンテナアレイシステムによって誘引されるシロアリに対する焦点を提供し、発明者はそれにより、送信された電波の効果を測定することができた。図４Ａ〜４Ｇおよび図５Ａ〜５Ｈにおいて、活動状態のアンテナアレイ１２の近辺に配置された誘引物質の柱２０には異なる量のシロアリの発生が観測されたが、非活動状態のアンテナアレイ１２についてはシロアリの発生は少ないかまたは全く観測されなかったことがわかる。
【００２５】
この発明の電波送信システム１０の長年にわたるテストの結果、このシステムが電波の送信を使用することによってシロアリを誘引することができることが実証された。テストはまた、シロアリを送信システム１０に誘引することにより、隣接する木製の構造がシロアリの侵襲から保護され得ることを立証した。
【００２６】
この発明は、シロアリを活動状態の送信装置１２に誘引するために使用することが可能であり、そうすることにより、隣接領域をシロアリの侵襲から保護することが可能である。この発明はまた、従来の光を使う罠、シロアリ用の罠、餌場等のような昆虫を誘引するのに使用される他の装置の効率を高める方法としても用いることが可能である。
【００２７】
電波送信システム１０がシロアリを誘引することができるという発明者の発見を用いて、誘引物質である電波を発生するためにシロアリの侵襲の害をより被りやすい構造または建物を識別することのできる電子掃引機を提供することもまた、この発明の概念の範囲内である。
【００２８】
また、発明者たちの発見は、シロアリの害を被りやすい構造または建物から発生される誘引物質である電波を、スクランブルするまたは「マスクする」装置を提供するのに使用することも可能である。
【００２９】
また、発明者は、電波のシロアリに対する効果を、約６０ヘルツおよび２０メガワットという高強度の電場を生成することにより、害を被りやすい構造のまわりに虫を寄せ付けないシールドを作るのに適用することも可能である、と判断した。
【００３０】
ここに主張される発明は、包括的に、また、具体的な実施例を参照して説明されたものである。例および具体的な特徴は、特記していない限り、限定を意図するものではない。特許請求の範囲によって除外される場合を除いて、当業者にはこの発明から離れることなく種々の変形が思い起こされるであろう。
【図面の簡単な説明】
【００３１】
【図１Ａ】この発明の電波送信システムの一実施例を示す図である。
【図１Ｂ】この発明の電波送信システムの一実施例を示す図である。
【図１Ｃ】この発明の電波送信システムの一実施例を示す図である。
【図１Ｄ】この発明の電波送信システムの一実施例を示す図である。
【図２Ａ】この発明の送信システムの、活動状態の送信領域および非活動状態の送信領域を有するテスト領域を示す概略図であって、テスト領域内のアンテナアレイの配置を示す図である。
【図２Ｂ】この発明の送信システムの、活動状態の送信領域および非活動状態の送信領域を有するテスト領域を示す概略図であって、テスト領域において１９９８年に識別されたシロアリの活動場所を示す図である。
【図２Ｃ】この発明の送信システムの、活動状態の送信領域および非活動状態の送信領域を有するテスト領域を示す概略図であって、テスト領域において２００２年に識別されたシロアリの活動場所を示す図である。
【図３】電波送信機に関連付けられたアンテナアレイ、および、アンテナアレイの領域内でシロアリ誘引物質として機能した木柱の場所を示す図であって、影を付した領域でシロアリの活動を示す図である。
【図４Ａ】アンテナアレイおよびアンテナアレイの周囲に位置付けられた木柱を示す図であって、影を付した領域が存在しないことで新しいシロアリの活動がなかったことを示す図である。
【図４Ｂ】アンテナアレイおよびアンテナアレイの周囲に位置付けられた木柱を示す図であって、影を付した領域が存在しないことで新しいシロアリの活動がなかったことを示す図である。
【図４Ｃ】アンテナアレイおよびアンテナアレイの周囲に位置付けられた木柱を示す図であって、影を付した領域が存在しないことで新しいシロアリの活動がなかったことを示す図である。
【図４Ｄ】アンテナアレイおよびアンテナアレイの周囲に位置付けられた木柱を示す図であって、影を付した領域が存在しないことで新しいシロアリの活動がなかったことを示す図である。
【図４Ｅ】アンテナアレイおよびアンテナアレイの周囲に位置付けられた木柱を示す図であって、影を付した領域が存在しないことで新しいシロアリの活動がなかったことを示す図である。
【図４Ｆ】アンテナアレイおよびアンテナアレイの周囲に位置付けられた木柱を示す図であって、影を付した領域が存在しないことで新しいシロアリの活動がなかったことを示す図である。
【図４Ｇ】アンテナアレイおよびアンテナアレイの周囲に位置付けられた木柱を示す図であって、影を付した領域が存在しないことで新しいシロアリの活動がなかったことを示す図である。
【図５Ａ】アンテナアレイおよび活動状態のアンテナアレイの周囲に位置する木柱を示す図であって、影を付した領域が存在することで木柱にシロアリの活動が認められたことを示す図である。
【図５Ｂ】アンテナアレイおよび活動状態のアンテナアレイの周囲に位置する木柱を示す図であって、影を付した領域が存在することで木柱にシロアリの活動が認められたことを示す図である。
【図５Ｃ】アンテナアレイおよび活動状態のアンテナアレイの周囲に位置する木柱を示す図であって、影を付した領域が存在することで木柱にシロアリの活動が認められたことを示す図である。
【図５Ｄ】アンテナアレイおよび活動状態のアンテナアレイの周囲に位置する木柱を示す図であって、影を付した領域が存在することで木柱にシロアリの活動が認められたことを示す図である。
【図５Ｅ】アンテナアレイおよび活動状態のアンテナアレイの周囲に位置する木柱を示す図であって、影を付した領域が存在することで木柱にシロアリの活動が認められたことを示す図である。
【図５Ｆ】アンテナアレイおよび活動状態のアンテナアレイの周囲に位置する木柱を示す図であって、影を付した領域が存在することで木柱にシロアリの活動が認められたことを示す図である。
【図５Ｇ】アンテナアレイおよび活動状態のアンテナアレイの周囲に位置する木柱を示す図であって、影を付した領域が存在することで木柱にシロアリの活動が認められたことを示す図である。
【図５Ｈ】アンテナアレイおよび活動状態のアンテナアレイの周囲に位置する木柱を示す図であって、影を付した領域が存在することで木柱にシロアリの活動が認められたことを示す図である。
【図２Ａ】
2004537993.tif 000003
【図２Ｂ】
2004537993.tif 000004
【図２Ｃ】
2004537993.tif 000005
【図３】
2004537993.tif 000006
【図５Ｅ】
2004537993.tif 000007
【国際公開パンフレット】
2004537993.tif 000008
2004537993.tif 000009
2004537993.tif 000010
2004537993.tif 000011
2004537993.tif 000012
2004537993.tif 000013
2004537993.tif 000014
2004537993.tif 000015
2004537993.tif 000016
2004537993.tif 000017
2004537993.tif 000018
2004537993.tif 000019
2004537993.tif 000020
2004537993.tif 000021
2004537993.tif 000022
2004537993.tif 000023
2004537993.tif 000024
2004537993.tif 000025
2004537993.tif 000026
2004537993.tif 000027
2004537993.tif 000028
2004537993.tif 000029
2004537993.tif 000030
2004537993.tif 000031
2004537993.tif 000032
2004537993.tif 000033
2004537993.tif 000034
2004537993.tif 000035
2004537993.tif 000036
2004537993.tif 000037
2004537993.tif 000038
2004537993.tif 000039
2004537993.tif 000040
2004537993.tif 000041
2004537993.tif 000042
【国際公開パンフレット（コレクトバージョン）】
2004537993.tif 000043
【国際調査報告】
2004537993.tif 000044
2004537993.tif 000045
2004537993.tif 000046
2004537993.tif 000047